(57)【要約】【課題】  共通のＴＰＣコマンド信号により制御される複数の基地局装置の送信電力に差が生じたことを検出して補正することができる移動通信システムの下り送信電力制御方法を提供する。【解決手段】  基地局装置１１，１２は、それぞれ所定数のフレームごとに復号したＴＰＣ信号が示す値を合計し、無線ネットワーク制御装置へ報告する。無線ネットワーク制御装置は、移動端末１４から通知されるＥｃ／Ｎｏ値に基づいて基地局装置のいずれか一方を基準装置と定める一方、報告されたＴＰＣ合計値の差を求める。無線ネットワーク制御装置は、基準装置以外の基地局装置の送信電力を基準装置の送信電力に一致させるよう、基準装置以外の基地局装置に対して補正指示を出す。【選択図】  図６
2006054580.tif 000002
【特許請求の範囲】
【請求項１】
移動体端末と無線接続可能な複数の基地局装置と、該複数の基地局装置に接続された無線ネットワーク制御装置とを有する移動通信システムにおいて、
前記複数の基地局装置が前記移動端末から送信される共通の送信電力制御信号に基づいて下り送信電力を制御する際に、当該複数の基地局装置の下り送信電力を所定の周期で一致させるための送信電力補正手段を備えていることを特徴とする移動通信システム。
【請求項２】
請求項１に記載された移動通信システムにおいて、
前記送信電力補正手段が、
前記複数の基地局にそれぞれ設けられ、前記送信電力制御信号が示す制御値の合計を前記所定の周期で前記無線ネットワーク制御装置に報告する報告手段と、
前記無線ネットワーク制御装置に設けられ、前記複数の基地局から報告される制御値の合計に基づき、前記複数の基地局装置に対して送信電力の補正を指示する補正指示手段と、
を含むことを特徴とする移動通信システム。
【請求項３】
請求項２に記載された移動通信システムにおいて、
前記補正指示手段が、前記複数の基地局から報告される制御値の合計が互いに異なるか否か判定し、異なる場合に前記送信電力の補正を指示するようにしたことを特徴とする移動通信システム。
【請求項４】
請求項２又は３に記載された移動通信システムにおいて、
前記補正指示手段が、前記複数の基地局装置のうちの一つを基準装置と定め、該基準装置以外の基地局装置の下り送信電力を前記基準装置の下り送信電力に一致させるようにしたことを特徴とする移動通信システム。
【請求項５】
請求項４に記載された移動通信システムにおいて、
前記補正指示手段が、前記移動体端末から通知される前記複数の基地局装置のＣＰＩＣＨのＥｃ／Ｎｏに基づいて前記基準装置を定めるようにしたことを特徴とする移動通信システム。
【請求項６】
移動体端末と無線接続可能な複数の基地局装置と、該複数の基地局装置に接続された無線ネットワーク制御装置とを有する移動通信システムの下り送信電力制御方法において、
前記複数の基地局装置が前記移動端末から送信される共通の送信電力制御信号に基づいて下り送信電力を制御する際に、当該複数の基地局装置の下り送信電力を所定の周期で一致させるようにしたことを特徴とする移動通信システムの下り送信電力制御方法。
【請求項７】
請求項６に記載された移動通信システムの下り送信電力制御方法において、
前記複数の基地局が、前記送信電力制御信号が示す制御値の合計を前記所定の周期で前記無線ネットワーク制御装置に報告し、
前記無線ネットワーク制御装置が、前記複数の基地局から報告される制御値の合計に基づいて、前記複数の基地局装置に対して送信電力の補正を指示する
ことを特徴とする移動通信システムの下り送信電力制御方法。
【請求項８】
請求項７に記載された移動通信システムの下り送信電力制御方法において、
前記複数の基地局から報告される制御値の合計が互いに異なるか否か判定し、異なる場合に前記送信電力の補正を指示するようにしたことを特徴とする移動通信システムの下り送信電力制御方法。
【請求項９】
請求項７又は８に記載された移動通信システムの下り送信電力制御方法において、
前記複数の基地局装置のうちの一つを基準装置と定め、該基準装置以外の基地局装置に対してその下り送信電力を前記基準装置の下り送信電力に一致させるように指示することを特徴とする移動通信システムの下り送信電力制御方法。
【請求項１０】
請求項９に記載された移動通信システムの下り送信電力制御方法において、
前記移動体端末から通知される前記複数の基地局装置のＣＰＩＣＨのＥｃ／Ｎｏに基づいて前記基準装置を定めるようにしたことを特徴とする移動通信システムの下り送信電力制御方法。
【請求項１１】
無線ネットワーク制御装置に接続され、かつ移動体端末に無線接続可能な基地局装置において、
前記移動端末から送信される送信電力制御信号に基づいて下り送信電力を制御しているとき、前記送信電力制御信号が表す制御値の合計を周期的に前記無線ネットワーク制御装置へ送信し、前記無線ネットワーク制御装置から補正指示を受け、当該補正指示に基づいて前記下り送信電力を補正するようにしたことを特徴とする基地局装置。
【請求項１２】
複数の基地局装置に接続された無線ネットワーク制御装置において、
前記複数の基地局装置からの送信電力制御信号が表す制御値の合計に関する報告を周期的に受け、前記複数の基地局の送信電力を一致させるように下り送信電力を補正する補正指示を出すようにしたことを特徴とする基地局装置。
【発明の詳細な説明】
【技術分野】
【０００１】
本発明は、移動通信システムに関し、特に、Ｗ−ＣＤＭＡ移動通信システムの下り送信電力制御方法に関するものである。
【背景技術】
【０００２】
符号分割多元接続（ＣＤＭＡ）方式の移動通信システムでは、複数の基地局装置と複数の移動体端末とが同一の周波数帯域を利用するため、干渉防止を目的として送信電力制御を行う必要がある。
【０００３】
従来の送信電力制御方法として、受信ＳＩＲ（Signal to Interference Ratio）を目標ＳＩＲに近付けるインナーループ制御と、受信品質に基づいて目標ＳＩＲを更新するアウターループ制御とを組み合わせたものがある（例えば、特許文献１参照。）。
【０００４】
インナーループ制御では、受信側（基地局装置／移動体端末）において受信ＳＩＲを測定し、測定ＳＩＲと目標ＳＩＲとを比較する。そして、比較結果に基づいて、受信ＳＩＲが目標ＳＩＲに近づくように、送信側送信電力を変化させるための（下り／上り）送信電力制御（ＴＰＣ：Transmission Power Control）コマンド信号を送信側（移動体端末／基地局装置）へ送信する。送信側では、受信側から送られてくるＴＰＣコマンド信号をスロット周期（例えば、０．６６７ｍｓ）で受信し、それに応じて、単位ステップ［ｄＢ］だけ送信電力を変化させる。
【０００５】
また、アウターループ制御では、受信側において所定周期で通信品質を監視（ビットエラーレートやブロックエラーレートを測定）し、所定の品質を維持するように目標ＳＩＲを変化させる。目標ＳＩＲを変化させることにより、ＴＰＣ信号生成の基準が変更され、通信品質が良好であれば送信側の送信電力を下げ、通信品質が悪ければ送信電力を上げることが出来る。目標ＳＩＲは、また、受信側の送信電力の基準にも用いられる。つまり、通信品質が良好の場合は、目標ＳＩＲを下げることにより、送信電力を下げる。これにより、通信容量を増大させ周波数資源を有効に利用することができる。他方、通信品質が悪い場合には、目標ＳＩＲを上げて送信電力を上げ、通信品質の向上を図る。
【０００６】
さて、この種の移動体通信システムでは、移動体端末が現在位置しているセルから隣接セルへと移動する際、移動前後のセルを夫々カバーする複数の基地局装置と同時に交信するソフトハンドオーバが行われる。ソフトハンドオーバが行われている間、ソフトハンドオーバに関与する全ての基地局装置の下り送信電力が等しくなるよう、これら基地局装置の下り送信電力制御を行う必要がある。
【０００７】
ソフトハンドオーバに関与する全ての基地局装置の送信電力を等しくする下り送信電力制御方法として、全ての基地局装置に接続されている無線ネットワーク制御が、移動体端末と交信中の基地局装置から必要な情報を収集して、それに基づいてソフトハンドオーバ時の下り送信電力制御用の情報を生成し、ソフトハンドオーバに関与する全ての基地局装置に同報するようにしたものがある（例えば、特許文献２参照。）。
【０００８】
【特許文献１】特開２００３−７８４８４号公報（段落０００２〜０００９、図９）
【特許文献２】特開２０００−２２４１０２号公報（要約）
【発明の開示】
【発明が解決しようとする課題】
【０００９】
従来の移動通信システムの下り送信電力制御では、移動局装置において目標ＳＩＲを用いるインナーループ制御によりＴＰＣコマンド信号を生成する一方で、通信品質に基づくアウターループ制御によって目標ＳＩＲを更新するようにしている。ここで、目標ＳＩＲは、移動体端末の送信電力の基準値としても用いられるため、移動体端末がＴＰＣコマンド信号を送信する際の送信電力の大きさに影響を与える。つまり、移動体端末が基地局装置との間の通信状態が良好であるとして目標ＳＩＲを低下させると、基地局装置へＴＰＣコマンド信号を送信する際の送信電力が低下する。それゆえ、移動体端末において目標ＳＩＲが下げられると、基地局装置ではＴＰＣ信号の復号誤り率が上昇する。
【００１０】
基地局装置においてＴＰＣ信号の復号誤りが発生すると、その送信電力の変化（増減）が、移動体端末からの要求とは異なるものとなる。このような誤った送信電力の変化は、基地局装置と移動対端末とが１対１で通信している場合には、問題とならない。なぜなら、そのような誤りは、その後の（次スロット以降の）ＴＰＣコマンド信号によって補正されるからである。
【００１１】
ところが、基地局間ハンドオーバ時には、ソフトハンドオーバが行われ、移動体端末から送信された共通のＴＰＣコマンド信号は複数の基地局装置で個別に復号される。それゆえ、ＴＰＣコマンド信号の復号誤りの発生状況は基地局毎に異なる。つまり、ソフトハンドオーバに関与する複数の基地局装置は、同じＴＰＣコマンド信号を受信したにもかかわらず、ある基地局装置では送信電力を上げ、他の基地局装置では送信電力を下げるということが起こり得る。このようにソフトハンドオーバに関与する複数の基地局装置の送信電力に差が生じてしまうと、その後の共通のＴＰＣコマンド信号によってはその差が補正されることはない。また、いずれかの基地局装置において、ＴＰＣコマンド信号の復号誤りが発生することにより、先に発生していた送信電力差が相殺される可能性が無いとはいえないが、その差が拡大されるおそれもある。そして、長期的に見れば、ソフトハンドオーバに関与する複数の基地局装置に発生した送信電力差は、時間とともに拡大する可能性のほうが大きい。その結果、移動対端末は、ソフトハンドオーバに関与する複数の基地局装置のいずれからの信号に対しても十分な受信電力を得ることが出来ず、通信が切断（呼切断が発生）してしまうおそれがある。
【００１２】
例として、移動体端末が第１の基地局装置がカバーするセルから第２の基地局装置がカバーするセルへと移動する場合について説明する。この場合、第１及び第２の基地局装置の送信電力が同じであれば、移動体端末における受信電力は各基地局装置との距離に依存する。従って、初めは、移動体端末が第１の基地局装置に近いので、第１の基地局装置からの信号の受信電力が第２の基地局装置からの信号の受信電力よりも大きい。移動体端末が第２の基地局装置に近づくに従い、第１の基地局装置からの信号の受信電力は減少し、第２の基地局装置からの信号の受信電力が増大する。そして、移動体端末がさらに第２の基地局装置に近づくと、第２の基地局装置からの信号の受信電力が第１の基地局装置からの信号に対する受信電力を上回る。そして、第２の基地局装置からの信号の受信電力が十分に大きくなればソフトハンドオーバは終了する。
【００１３】
ところが、第１及び第２の基地局装置において移動体端末からのＴＰＣコマンド信号を復号する際に誤りが生じ、第１の基地局装置の送信電力が大きくなる一方で第２の基地局装置の送信電力が小さくなると、移動体装置が第２の基地局装置がカバーするセルへと移動しても、第２の基地局装置からの信号の受信電力が第１の基地局装置からの信号の受信信号を超えることが出来なくなる場合が生じる。このような場合、移動体端末は、第１及び第２の基地局装置のいずれからの信号に対しても十分な受信電力を得ることが出来ず、信号を見失い、呼切断につながる。
【００１４】
以上のように、従来の移動通信システムの下り送信電力制御方法は、ソフトハンドオーバ時にＴＰＣ信号の復号誤りが発生すると、呼切断が生じるおそれがあるという問題点がある。
【００１５】
本発明は、共通のＴＰＣコマンド信号により制御される複数の基地局装置の送信電力に差が生じたことを検出して補正することができる移動通信システム及びその下り送信電力制御方法を提供することを目的とする。
【課題を解決するための手段】
【００１６】
本発明は、移動体端末と無線接続可能な複数の基地局装置と、該複数の基地局装置に接続された無線ネットワーク制御装置とを有する移動通信システムにおいて、前記複数の基地局装置が前記移動端末から送信される共通の送信電力制御信号に基づいて下り送信電力を制御する場合に、当該複数の基地局装置の下り送信電力を所定の周期で一致させるための送信電力補正手段を備えていることを特徴とする。
【００１７】
また、本発明は、移動体端末と無線接続可能な複数の基地局装置と、該複数の基地局装置に接続された無線ネットワーク制御装置とを有する移動通信システムの下り送信電力制御方法において、前記複数の基地局装置が前記移動端末から送信される共通の送信電力制御信号に基づいて下り送信電力を制御する場合に、当該複数の基地局装置の下り送信電力を所定の周期で一致させるようにしたことを特徴とする。
【００１８】
また、本発明は、無線ネットワーク制御装置に接続され、かつ移動体端末に無線接続可能な基地局装置において、前記移動端末から送信される送信電力制御信号に基づいて下り送信電力を制御しているとき、前記送信電力制御信号が表す制御値の合計を周期的に前記無線ネットワーク制御装置へ送信し、前記無線ネットワーク制御装置から補正指示を受け、当該補正指示に基づいて前記下り送信電力を補正するようにしたことを特徴とする。
【００１９】
さらにまた、本発明は、複数の基地局装置に接続された無線ネットワーク制御装置において、前記複数の基地局装置からの送信電力制御信号が表す制御値の合計に関する報告を周期的に受け、前記複数の基地局の送信電力を一致させるように下り送信電力を補正する補正指示を出すようにしたことを特徴とする。
【発明の効果】
【００２０】
本発明によれば、基地局間ハンドオーバ時に各基地局装置の送信電力を周期的に一致させるようにしたことで、移動体端末の期待とは異なる基地局装置の送信電力の変化を抑制することができ、それによって、呼切断の発生を抑えることができ、安定した通信を実現することができる。
【発明を実施するための最良の形態】
【００２１】
以下、図面を参照して、本発明の一実施の形態について詳細に説明する。
【００２２】
図１は、本実施の形態に係る移動体通信システムであるＷ−ＣＤＭＡ無線ネットワークシステムの構成を示す概略図である。図示のネットワークシステムは、複数（ここでは２個のみ示す。）の基地局装置１１、１２と、これら複数の基地局装置１１，１２にＡＴＭ回線により接続された無線ネットワーク制御装置１３と、基地局装置１１，１２とＷ−ＣＤＭＡ無線アクセス方式により無線接続可能な移動体端末１４とを含む。
【００２３】
無線ネットワーク制御装置１３は、図２に示すように、複数の基地局装置１１，１２に接続される基地局インタフェース２１と、基地局装置１１，１２から送られてくる信号処理等を行う信号処理部２２と、無線ネットワーク制御装置１３全体の動作を制御する制御部２３とを有している。ここで、制御部２３は、送信電力頬製手段の一部である補正指示手段として機能する。無線ネットワーク制御装置の他の構成要素については、本発明に直接関係がないので、その図示及び説明を省略する。
【００２４】
基地局装置１１，１２の各々は、図３に示すように、無線部３１と、ベースバンド信号処理部３２と、ネットワーク制御装置インタフェース３３と、制御部３４とを有している。ここで、制御部３４は、送信電力補正手段の一部である報告手段として機能する。
【００２５】
移動体端末１４は、従来と同じ構成を持つ。移動体端末１４の構成は、本発明に直接関係が無いので、その図示及び説明を省略する。
【００２６】
以下、図１の無線ネットワークシステムにおける下り送信電力制御動作について説明する。
【００２７】
まず、移動体端末１４が唯一の基地局装置（ここでは、基地局装置１１とする。）と通信している場合について説明する。
【００２８】
移動体端末１４は、公知の方法により上りＴＰＣコマンド信号を作成し、上り送信信号にＴＰＣビットとして含ませ基地局装置１１へ送信する。
【００２９】
基地局装置１１の制御部３４は、受信した信号に含まれるＴＰＣコマンド信号に従い、下り送信電力を予め定められたステップだけ上げ、又は下げる。
【００３０】
図４に、上りＴＰＣコマンド信号の時間変化と下り送信電力との関係の一例を示す。図４において、横軸は時間［タイムスロット］（１タイムスロット＝０．６６７ｍｓ、１フレーム（１０ｍｓ）＝１５タイムスロット）である。また、縦軸は、移動体端末から送信されるＴＰＣコマンド信号が示す値（＋１又は−１）、及び下り送信電力［ｄＢｍ］である。ここでは、下り送信電力の初期値を２０［ｄＢｍ］とし、ＴＰＣコマンド信号が“＋１”のとき、次のスロットタイミングで送信電力を１［ｄＢｍ］上げ、ＴＰＣコマンド信号が“−１”のときは１［ｄＢｍ］下げている。図４の例では、上りＴＰＣコマンド信号が“１、−１、１、−１、−１、１、１、−１、−１、−１、１、１、１、−１、−１、−１、−１、１、１、１、１、−１、１、−１”と変化しており、それに応じて、下り送信電力は“２０（初期値）、２１、２０、２１、２０、１９、２０、２１、２０、１９、１８、１９、２０、２１、２０、１９、１８、１７、１８、１９、２０、２１、２０”［ｄＢｍ］と変化している。
【００３１】
次に、移動体端末１４が複数の基地局装置（ここでは、基地局措置１１及び１２の双方とするが、３個以上の場合もあり得る。）と通信している場合、即ちソフトハンドオーバ時の動作について説明する。
【００３２】
まず、参考として、無線ネットワーク制御装置１３からの補正指示が無い場合について説明する。
【００３３】
図５に、基地局装置間ハンドオーバ時に基地局装置１１もしくは１２が移動体端末１４から送信されたＴＰＣコマンド信号の復号を誤った場合の各基地局装置１１，１２の下り送信電力の変化の一例を示す。
【００３４】
図５において、横軸は時間［タイムスロット］である。また、縦軸は、移動体端末から送信される上りＴＰＣコマンド信号が示す値および各基地局装置１１，１２で復号されたＴＰＣコマンド信号が示す値と、各基地局装置の下り送信電力［ｄＢ］を表す。
【００３５】
図５の例では、基地局装置１１において、第１４，２９，３５及び４５タイムスロットでＴＰＣコマンド信号の復号誤りが発生し、基地局装置１２において、第７，１８，２５及び３９タイムスロットで誤りが発生している。そして、第４８タイムスロットでは、これら２つの基地局装置１１と１２との間には、送信電力に計８［ｄＢｍ］の差が生じている。ＴＰＣコマンド信号の復号誤りが無い場合に各基地局装置１１，１２の送信電力は、破線で示されている。
【００３６】
ＴＰＣコマンド信号の復号誤りは、各基地局において独立に発生するため、２つの基地局装置１１，１２で同時に発生することは少ない。２つの基地局装置１１，１２の一方においてＴＰＣコマンド信号の復号誤りが発生すると、一方の基地局装置はＴＰＣコマンド信号に従って送信電力を１［ｄＢ］上げ（又は下げ）、他方の基地局装置は誤って１［ｄＢ］下げる（又は上げる）ことになる。従って、２つの基地局装置１１，１２のいずれか一方においてＴＰＣ誤りが発生する毎に、これら基地局装置間の送信電力差は２［ｄＢ］ずつ変化する。送信電力差が増大するか減少するかは不定である。例えば、送信電力差が２［ｄＢｍ］のとき、次の復号誤りによって送信電力差は４［ｄＢｍ］になるかもしれないし、０［ｄＢｍ］になるかもしれない。図５では、計８回の復号誤りで送信電力差が８［ｄＢｍ］となる例を示したが、復号誤りが計８回発生すると、送信電力差は最大で１６［ｄＢｍ］となる。
【００３７】
基地局間ハンドオーバ時に発生する基地局装置の送信電力差は、時間とともに次第に拡大していく確率が高い。そこで、本実施の形態に係る無線ネットワークシステムでは、予め定められた周期毎にソフトハンドオーバに関与する全ての基地局装置の送信電力を一致させる。
【００３８】
次に、図６乃至図１０を参照して、基地局間ハンドオーバ時において、周期的に基地局装置の送信電力を一致させる補正動作を含む下り送信電力制御動作について説明する。
【００３９】
図６は、図５と同様、基地局装置１１，１２の下り送信電力の変化を示す図である。図６において、横軸は時間［フレーム］である。また、縦軸は、移動体端末から送信される上りＴＰＣコマンド信号が示す値および各基地局装置１１，１２で復号されたＴＰＣコマンド信号が示す値と、各基地局装置１１，１２の下り送信電力［ｄＢ］を表す。
【００４０】
基地局装置１１，１２は、共に移動体端末１４と無線接続され、インナーループ電力制御を実施する。移動体端末１４は、スロット単位で共通の上りＴＰＣコマンド信号を基地局装置１１，１２に送信する。ＴＰＣコマンド信号は“１”もしくは“−１”のいずれかの値を示し、各基地局装置１１，１２はスロット単位で受信したＴＰＣコマンド信号を復号して下り送信電力を制御する。各基地局装置１１，１２は、ＴＰＣコマンド信号が“１”を示すとき送信電力を１［ｄＢ］上昇させ、“−１”を示すとき１［ｄＢ］降下させる。
【００４１】
各基地局装置１１，１２の制御部３４は、上記動作に加え、図７に示すように動作する。即ち、制御部３４は、まず、ＴＰＣ合計値を０にして（ステップＳ７０１）、その後は、ＴＰＣコマンド信号を受信する（ステップＳ７０２）毎に、復号したＴＰＣコマンド信号が示す値（＋１又は−１）をＴＰＣ合計値に加える（ステップＳ７０３）。所定数のフレーム（ここでは１０フレーム）分のＴＰＣコマンド信号を受信したと判断した（ステップＳ７０４でＹｅｓ）ならば、制御部３４は、無線ネットワーク制御装置１３に対してＴＰＣ合計値を報告する（ステップＳ７０５）。その後、制御部３４は上記動作を繰り返して、所定数のフレーム毎に、ＴＰＣ合計値を無線ネットワーク制御装置１３に報告する。
【００４２】
無線ネットワーク制御装置１３の制御部２３は、図８に示すように動作する。即ち、制御部２３は、ソフトハンドオーバに関与している基地局装置１１，１２からＴＰＣ合計値の報告を受け、その値を記憶する（ステップＳ８０１）。そして、制御部２３は、これら基地局装置１１，１２からのＴＰＣ合計値に差が生じているか否か判定する（ステップＳ８０２）。
【００４３】
基地局装置１１，１２からのＴＰＣ合計値に差が無い（等しい）場合は（ステップＳ８０２でＮｏ）、ステップＳ８０１に戻り、基地局装置１１，１２からの次のＴＰＣ合計値が報告されるのを待つ。
【００４４】
一方、基地局装置１１，１２からのＴＰＣ合計値に差が生じている場合には（ステップＳ８０２でＹｅｓ）、制御部２３は、基地局装置１１，１２のうちの一方を基準装置と定める（ステップＳ８０３）。
【００４５】
３個以上の基地局装置がソフトハンドオーバに関与する場合も、同様に、報告された全てのＴＰＣ合計値が一致していないとき、一の基準装置を基準装置と定める。
【００４６】
基準装置をどのようにして選定するかは任意である。例えば、ソフトハンドオーバを開始する直前に移動体端末と接続されていた基地局装置を基準装置としてもよいし、あるいは、ソフトハンドオーバの対象として最後に移動体端末に接続された基地局装置としてもよい。本実施例では、各基地局装置から送信されるＰＣＰＩＣＨ（Primary Common Pilot Channel）のＥｃ／Ｎｏ値に基づいて決めるようにしている。
【００４７】
各基地局装置から送信されるＰＣＰＩＣＨのＥｃ／Ｎｏ値は、移動体端末１４によって測定される。つまり、移動体端末１４は、常時、各基地局装置１１，１２から一定の送信電力で送信されるＰＣＰＩＣＨを受信し、その信号電力と雑音電力との比であるＥｃ／Ｎｏ値を測定する。そして、移動端末１４は、測定したＥｃ／Ｎｏ値を、基地局装置１１又は１２を介して無線ネットワーク制御装置１３に通知する。この通知は、移動局端末１４が基地局装置との接続を追加／削除する際に行われる。
【００４８】
各基地局装置から一定の電力で送信されるＰＣＰＩＣＨのＥｃ／Ｎｏ値は、各基地局装置と移動体端末１４との間の距離に依存する。基地局装置１１，１２と移動体端末１４との位置（移動方向）関係が、図９の上部に示すようなものである場合、移動体端末１４で測定されるＰＣＰＩＣＨのＥｃ／Ｎｏ値はその下部に示すようなものとなる。ここで、左側にピークを持つ曲線が基地局装置１１のＥｃ／Ｎｏ値を示し、右側にピークを持つ曲線が基地局装置１２のＥｃ／Ｎｏ値を示している。図示のように、Ｅｃ／Ｎｏ値は基地局装置１１又は１２との距離に反比例し、距離が遠ければ低く、距離が近ければ大きくなる。
【００４９】
無線ネットワーク制御装置１３の制御部２３は、基地局装置１１，１２を介して受け取った各基地局装置のＥｃ／Ｎｏ値を比較し、大きい方の基地局装置を基準装置とする。これは、移動体装置がＰＣＰＩＣＨのＥｃ／Ｎｏ値が大きい基地局からのデータチャネル（ＤＣＨ）を主信号として処理しているため、主信号の送信電力の急激な変化を避けるためである。３個以上の基地局尾装置がハンドオーバに関与している場合は、最も大きなＥｃ／Ｎｏ値を持つ基地局装置を基準装置とすればよい。
【００５０】
次に、制御部２３は、基準装置である基地局装置からのＴＰＣ合計値と、それ以外の基地局装置からのＴＰＣ合計値との差を求める（ステップＳ８０４）。
【００５１】
最後に、制御部２３は、求めた差に応じて、基準装置以外の基地局装置の送信電力を補正する補正指示を送信する（ステップＳ８０５）。
【００５２】
図６の例では、最初の１０フレーム（１５０タイムスロット＝１００ｍｓ）の間に５回の復号誤りが発生している。このとき、基地局装置１１が無線ネットワーク制御装置１３に報告するＴＰＣ合計値が“−２”、基地局装置１２が無線ネットワーク制御装置１３に報告するＴＰＣ合計値が“−１２”であるとすると、その差は“１０”となる。即ち、このとき基地局装置１１と基地局装置１２の送信電力間には、１０［ｄＢ］の差が生じている。ここでは、Ｅｃ／Ｎｏ値に基づき定まる基準装置が基地局装置１１なので、無線ネットワーク制御装置１３は、基地局装置１２の送信電力を基地局装置１１の送信電力に一致させるように補正指示を出す。即ち、基地局装置１２に対して、１０［ｄＢ］だけ送信電力を増大させるよう補正指示を出す。
【００５３】
また、次の１０フレームでは、５回の復号誤りで、基地局装置１１からのＴＰＣ合計値が“−９”、基地局装置１２からのＴＰＣ合計値が“−３”となっており、基地局装置１１，１２間の送信電力差は６［ｄＢ］となっている。ここでは、Ｅｃ／Ｎｏ値に基づき定まる基準装置が基地局装置１２なので、無線ネットワーク制御装置１３は、基地局装置１１の送信電力を基地局装置１２の送信電力に一致させるように補正指示を出す。即ち、基地局装置１１に対して送信電力を６［ｄＢ］だけ増大させるように補正指示を出す。
【００５４】
３個以上の基地局尾装置がハンドオーバに関与している場合、無線ネットワーク制御装置１３は、基準装置以外の全ての基地局装置それぞれに対して、その送信電力を基準装置の送信電力に一致させるよう増減させる補正指示を出す。
【００５５】
各基地局装置の制御部２３は、図１０に示すように、無線ネットワーク制御装置１３からの補正指示を受けると（ステップＳ９０１）、その指示に従い、指示が増加方向（＋）なら送信電力を増大させ（ステップＳ９０２−９０３）、指示が減少方向（−）なら送信電力を減少させる（ステップＳ９０２，Ｓ９０４）。こうして、基準装置以外の基地局装置の送信電力を、基準装置の送信電力に一致させる。
【００５６】
以上のようにして、本実施の形態に係る無線ネットワークシステムでは、ソフトハンドオーバに関与する基地局装置の送信電力が、互いに等しくなるよう所定の周期で補正される。本実施の形態では、ＰＣＰＩＣＨのＥｃ／Ｎｏ値が小さい基地局装置の下り送信電力を変更するようにしたことで、主信号の送信電力を急激に変化させることなく、各基地局装置の送信電力を一致させることができる。
【００５７】
なお、各基地局装置における送信電力の補正が、上述したように、一度に１０［ｄＢｍ］という大きな値になる場合には、ソフトハンドオーバの対象である移動体端末との通信や他の移動体端末の通信に悪影響を及ぼすおそれがある。そこで、一度に補正できる送信電力の量を制限するようにしてもよい。ここで、ＴＰＣコマンド信号の復号誤り率は、目標ＳＩＲ値や無線環境に依存して変動するが、１０フレーム程度の時間における変化量の変動は比較的小さい。したがって、定常状態における符号誤り率を測定し、それに基づいて通信に影響を与えない最大補正可能値を決定することができる。
【００５８】
以上、本発明について一実施の形態に即して説明したが、本発明は上記実施の形態に限定されるものではない。例えば、上記実施の形態では、各基地局装置が下り送信電力に関連付けられた情報としてＴＰＣコマンドが表す制御値の合計を無線ネットワーク制御装置へ周期的に報告する例について説明したが、送信電力の大きさを表す信号を周期的に無線ネットワーク制御装置へ送信するようにしてもよい。
【図面の簡単な説明】
【００５９】
【図１】本発明の一実施の形態に係るＷ−ＣＤＭＡ無線ネットワークシステムの構成を示す概略図である。
【図２】図１のシステムに含まれる無線ネットワーク制御装置の構成を示すブロック図である。
【図３】図１のシステムに含まれる基地局装置の構成を示すブロック図である。
【図４】上りＴＰＣコマンド信号の時間変化と下り送信電力との関係の一例を示すグラフである。
【図５】基地局装置間ハンドオーバ時において補正を行わない場合の、基地局装置の下り送信電力の変化の一例を示す図である。
【図６】基地局装置間ハンドオーバ時において補正を行った場合の、基地局装置の下り送信電力の変化の一例を示すグラフである。
【図７】基地局装置の制御部のＴＰＣ合計値の報告動作を説明するためのフローチャートである。
【図８】無線ネットワーク制御装置の制御部の補正指示動作を説明するためのフローチャートである。
【図９】移動体端末と基地局装置との位置とＰＣＰＩＣＨのＥｃ／Ｎｏ値との関係を説明するための図である。
【図１０】基地局装置の送信電力補正動作を説明するためのフローチャートである。
【符号の説明】
【００６０】
１１，１２    基地局装置
１３    無線ネットワーク制御装置
１４    移動体端末
２１    基地局インタフェース
２２    信号処理部
２３    制御部
３１    無線部
３２    ベースバンド信号処理部
３３    ネットワーク制御装置インタフェース
３４    制御部
【図１】
2006054580.tif 000003
【図２】
2006054580.tif 000004
【図３】
2006054580.tif 000005
【図４】
2006054580.tif 000006
【図５】
2006054580.tif 000007
【図６】
2006054580.tif 000008
【図７】
2006054580.tif 000009
【図８】
2006054580.tif 000010
【図９】
2006054580.tif 000011
【図１０】
2006054580.tif 000012